(57)【要約】  衛星通信システムのユーザ端末を受け入れるユーザ端末クランプであって、２つの直交する方向のいずれかの方向に構造体の屋根にクランプするユーザ端末クランプ。前記クランプは、ハンドルによって作動される一対の移動可能なクランプ部材を有するフレームを含む。前記フレームは、前記ユーザ端末の下面に配置されているリブを受け入れるスロットまたはチャネルを含む。
2019513328.tif 000002
【特許請求の範囲】
【請求項１】
ユーザ端末を構造体に連結するクランプであって、
フレームであって、互いに対して離間した関係で平行に配置されている２つの支持部材を有し、各支持部材は互いに対して直角に配置されている２つのセグメントを有し、各セグメントはカプラを含み、さらに、各支持部材から１つずつ、対になったセグメントは、前記ユーザ端末を前記フレームに連結する、フレームと、
前記フレームに回転可能に連結された２つのクランプ部材と、
前記フレームに回転可能に連結されたハンドルと、
前記クランプ部材および前記ハンドルに動作可能なように連結された作動機構であって、前記ハンドルの部分的な回転により前記クランプ部材が上方へ移動する作動機構と、を備える、クランプ。
【請求項２】
前記作動機構は
（ａ）ケーブルと、
（ｂ）前記ハンドルに動作可能に連結されたケーブルランプであって、前記ケーブルの第１の端部は、前記ケーブルランプに取り付けられているケーブルランプと、
（ｃ）前記ケーブルランプの移動と共に前記ケーブルに張力を与えるように動作するケーブルテンショナと、を含む、請求項１に記載のクランプ。
【請求項３】
前記カプラは、スロットを備える、請求項１に記載のクランプ。
【請求項４】
前記ケーブルテンショナおよび前記ケーブルは、前記ケーブルテンショナが引っ張られた状態に置かれて前記ケーブルに張力を与えるように、構成されている、請求項２に記載のクランプ。
【請求項５】
前記ケーブルテンショナおよび前記ケーブルは、前記ケーブルテンショナが圧縮状態に置かれて前記ケーブルに張力を与えるように、構成されている、請求項２に記載のクランプ。
【請求項６】
前記作動機構は、前記クランプ部材が構造体に接触するまで前記ハンドルの部分的な回転により前記クランプ部材が上方へ移動するように構成されている、請求項１に記載のクランプ。
【請求項７】
前記作動機構は、前記クランプ部材が構造体に接触した後、前記ハンドルの追加の部分的な回転により前記構造体に対するクランプ力が増大するように構成されている、請求項６に記載のクランプ。
【請求項８】
前記ケーブルランプは、湾曲したローブを備える、請求項２に記載のクランプ。
【請求項９】
前記ケーブルの第２の端部は、前記ケーブルテンショナに取り付けられている、請求項２に記載のクランプ。
【請求項１０】
前記作動機構は、前記ケーブルの前記第１の端部と前記ケーブルの前記第２の端部との間で前記ケーブルに接触するプーリであって、前記ケーブルランプの移動は前記クランプ部材を上昇させるように前記ケーブルの方向を変えるプーリをさらに備える、請求項９に記載のクランプ。
【請求項１１】
ユーザ端末を構造体に連結するクランプであって、
フレームであって、互いに対して離間した関係で平行に配置されている２つの支持部材を有し、各支持部材は互いに対して直角に配置されている２つのセグメントを有し、各セグメントはスロットを含み、さらに、各支持部材から１つずつ、対になったセグメントは、前記ユーザ端末の底部に配置されたリブを受け入れ、それによって前記ユーザ端末を前記フレームに連結する、フレームと、
前記フレームに回転可能に連結された２つのクランプ部材であって、１つのクランプ部材が前記支持部材のうちの１つに対応する、２つのクランプ部材と、
前記フレームに回転可能に連結されたハンドルと、
前記クランプ部材および前記ハンドルに動作可能なように連結された作動機構であって、前記ハンドルの部分的な回転により前記クランプ部材が上方へ移動する作動機構と、を備える、クランプ。
【請求項１２】
前記フレームは、橋架部であって、前記橋架部の近位にある各支持部材の１つのセグメントと共にＵ字型構造に配置されている橋架部を備える、請求項１１に記載のクランプ。
【請求項１３】
前記作動機構は、
ケーブルと、
前記ハンドルに動作可能に連結されたケーブルランプであって、前記ケーブルの第１の端部は前記ケーブルランプに取り付けられているケーブルランプと、
前記ケーブルに沿って配置されているケーブルテンショナであって、さらに、前記ケーブルランプの移動と共に前記ケーブルに張力を与えるように動作するケーブルテンショナと、
を含む、２つのインスタンスを備え、
前記作動機構の前記２つのインスタンスの一方は、第１の一方の支持部材および回転可能に連結された前記クランプ部材に配置されており、前記２つのインスタンスの第２のインスタンスは、第２の一方の支持部材およびそれぞれ回転可能に連結された前記クランプ部材に配置されている、請求項１１に記載のクランプ。
【請求項１４】
ユーザ端末を構造体に連結するクランプであって、
フレームであって、互いに対して離間した関係で平行に配置されている２つの支持部材を有し、各支持部材は互いに対して直角に配置されている２つのセグメントを有し、各支持部材から１つずつ、対になったセグメントは、前記ユーザ端末に係合する、フレームと、
前記フレームに回転可能に連結された２つのクランプ部材であって、１つのクランプ部材が前記支持部材のうちの１つに対応する、２つのクランプ部材と、
前記フレームに回転可能に連結されたハンドルと、
前記クランプ部材および前記ハンドルに動作可能なように連結された作動機構であって、前記ハンドルの部分的な回転により前記クランプ部材が上方へ移動する作動機構と、を備える、クランプ。
【発明の詳細な説明】
【技術分野】
【０００１】
本出願は、２０１６年３月２１日に出願された米国仮特許出願第６２／３１０，９２２号に対する優先権を主張する、２０１７年３月１３日に出願された米国非仮特許出願第１５／４５７，７０７号に対する優先権を主張し、両開示は参照により本明細書に援用される。
【０００２】
本開示は、衛星通信システムのためのユーザ端末に関する。
【背景技術】
【０００３】
低コストのブロードバンド・インターネット・サービスを地球上のあらゆる場所に届けるための衛星システムが現在開発されている。このようなシステムは、典型的には、ゲートウェイアンテナを含んでおり、ゲートウェイアンテナは、インターネットを非静止衛星の群にリンクし、非静止衛星は、次いで地球上に位置する安価なユーザ端末にリンクする。ユーザ端末は、住宅や会社にインターネット接続を供給する。
【０００４】
上述した安価なユーザ端末は、衛星から滞りのないサービスを受信するために、すべての方位角方向（北、南、東、および西方向）に空の大部分にわたって遮るものがない視界を必要とするアンテナを含む。
【０００５】
最低限の専門知識を有する個々のユーザは、住宅または会社の屋根にユーザ端末を搭載して設置する可能性がある。したがって、ユーザがユーザ端末を屋根にしっかりと連結することを可能にするのに安価で使いやすいデバイスが必要である。
【発明の概要】
【発明が解決しようとする課題】
【０００６】
本発明は、２つの直交する方向のいずれかの方向に、工具を使用せずに、例えば建物の壁や屋根等の構造体にクランプし、上述したようなユーザ端末を受け入れるクランプ装置を提供する。
【課題を解決するための手段】
【０００７】
例示的な実施形態によるユーザ端末クランプは、ハンドルによって作動される一対の移動可能なクランプ部材を有するフレームを含む。フレームの構造により、搭載されたユーザ端末は、クランプの方向に関係なく（例えば、地面に対して）同じ方向を有する。フレームは、ユーザ端末をユーザ端末クランプに連結するためのカプラを含む。例示的な実施形態では、カプラは、ユーザ端末の下面に配置されているリブを受け入れるスロットまたはチャネルを備える。
【０００８】
ハンドルは、内部に配置された作動機構であって、ケーブルと、ケーブルランプと、プーリと、ケーブルテンショナとを含む作動機構に動作可能に連結されている。作動機構は、クランプ部材に連結している。したがって、ハンドルの回転は、クランプ部材を移動させ、特にクランプ位置に移動させる。
【０００９】
ケーブルランプは、その形状により、可変の回転動作を与える。ケーブルは、ケーブルランプの一端に取り付けられ、ケーブルの他端は１つ以上のケーブルテンショナに連結されている。例示的な実施形態では、ケーブルテンショナは、クランプ部材の少なくとも１つの部材内につながれている。ケーブルランプは、ハンドルが回転するときケーブルランプが同様に回転するように、ハンドルに動作可能に連結されている。
【００１０】
ユーザ端末クランプが完全に開いた、非伸長状態であるときケーブルランプは、ケーブルの２つの取り付け点間のケーブルにとっての比較的短い経路を効果的に作り出す第１の位置にある。ハンドルの部分的な回転は、ケーブルランプを、ケーブルの２つの取り付け点間のケーブルにとっての経路を効果的に長くする第２の位置に向かって移動させる。（固定長の）ケーブルにとっての経路を長くすることは、クランプ部材をクランプ位置まで上方へ引っ張る張力を作り出す。
【００１１】
ユーザ端末クランプは、クランプを取り付ける構造体の厚さに関して調整機能を与える２つの機構を含む。主にケーブルテンショナによって、様々な厚さに対応する。比較的厚い部材にクランプするとき、クランプ部材の移動が少なくて済む。このような状況では、ハンドルおよびケーブルランプがすべての利用可能な回転の一部を移動しただけで、クランプ部材が構造体に係合する。ハンドル（およびケーブルランプ）が最終位置まで回転するとき、ケーブルテンショナは、ハンドルの残りの回転に対応するように、ケーブルテンショナのデザインに応じて伸びる（伸長）か、コンパクト（圧縮）になる。ケーブルに与えられた張力は、クランプ力を提供する。この特定の配置のため、比較的薄い構造体よりも比較的厚い構造体にクランプするときにクランプはより大きなクランプ力を提供する。
【００１２】
調整機能を与える第２の機構は、クランプ部材のクランプヘッドに配置される発泡体パッドである。いくつかの実施形態では、クランプは金属から形成される。プラスチックハウジングは、金属製の構造体に重なっている。
【図面の簡単な説明】
【００１３】
【図１Ａ】ユーザ端末に連結されたユーザ端末クランプの斜視図を図示している。
【図１Ｂ】ユーザ端末に連結されたユーザ端末クランプの斜視図を図示している。図１Ａおよび図１Ｂは、２つの異なる方向で使用されているユーザ端末クランプを図示している。
【図２Ａ】本発明によるユーザ端末クランプの実施形態の第１の斜視図を図示している。
【図２Ｂ】内部の作動機構を示す、図２Ａのユーザ端末クランプの第２の斜視図を図示している。
【図３Ａ】クランプされている構造体（図示せず）と接触させるクランプで終わる、部分的に回転されているユーザ端末クランプのハンドルを図示している。
【図３Ｂ】クランプされている構造体（図示せず）と接触させるクランプで終わる、部分的に回転されているユーザ端末クランプのハンドルを図示している。
【図３Ｃ】クランプされている構造体（図示せず）と接触させるクランプで終わる、部分的に回転されているユーザ端末クランプのハンドルを図示している。
【図３Ｄ】完全なハンドルの回転およびクランプを可能にするケーブルテンショナの動作を図示している。
【図４Ａ】ケーブルシステムと、図３Ａ〜図３Ｄに図示された状態（すなわち、ユーザ端末クランプのハンドルの位置）に対応するケーブルランプの位置と、を図示している。
【図４Ｂ】ケーブルシステムと、図３Ａ〜図３Ｄに図示された状態（すなわち、ユーザ端末クランプのハンドルの位置）に対応するケーブルランプの位置と、を図示している。
【図４Ｃ】ケーブルシステムと、図３Ａ〜図３Ｄに図示された状態（すなわち、ユーザ端末クランプのハンドルの位置）に対応するケーブルランプの位置と、を図示している。
【図４Ｄ】ケーブルシステムと、図３Ａ〜図３Ｄに図示された状態（すなわち、ユーザ端末クランプのハンドルの位置）に対応するケーブルランプの位置と、を図示している。
【図５Ａ】例えば、屋根の軒下に搭載するとき等、クランプが水平方向にクランプしているユーザ端末の設置を図示している。
【図５Ｂ】例えば、欄干に搭載するとき等、クランプが垂直方向にクランプしているユーザ端末の設置を図示している。
【発明を実施するための形態】
【００１４】
図１Ａおよび図１Ｂは、ユーザ端末を構造体（図示せず）にクランプするための、ユーザ端末１００に連結されたユーザ端末クランプ１０２を図示している。ユーザ端末１００は、アンテナ５６０と、レードーム５６４によって囲まれた支持電子機器５６２と、を含む（図５Ｂ参照）。
【００１５】
図１Ａは、例えば、屋根の軒下に搭載する等のために水平方向にあるユーザ端末クランプ１０２を図示している。図１Ｂは、例えば、欄干に搭載する等のために垂直方向にあるユーザ端末クランプ１０２を図示している。
【００１６】
図１Ａおよび図１Ｂに図示されているように、ユーザ端末クランプ１０２は、互いに対して離間した関係で平行にある２つの支持部材１０５および１０６を備えるフレーム１０４を含む。各支持部材は、互いに対して直角に配置されている２つのセグメントを備える。特に、支持部材１０５は、水平支持セグメント１０５Ａおよび垂直支持セグメント１０５Ｂを含む。同様に、支持部材１０６は、水平支持セグメント１０６Ａおよび垂直支持セグメント１０６Ｂを含む。
【００１７】
図１Ａにあるように、ユーザ端末クランプ１０２が水平位置に使用されているとき、対になった水平支持セグメント１０５Ａおよび水平支持セグメント１０６Ａは、ユーザ端末１００に連結してユーザ端末１００を支持する。図１Ｂにあるように、ユーザ端末クランプ１０２が垂直位置に使用されているとき、対になった垂直支持セグメント１０５Ｂおよび垂直支持セグメント１０６Ｂは、ユーザ端末１００に連結してユーザ端末１００を支持する。
【００１８】
ユーザ端末クランプ１０２は、クランプ部材１０８Ａおよびクランプ部材１０８Ｂをさらに含む。クランプ領域１１０は、クランプ部材の一部と、水平支持セグメント１０５Ａおよび水平支持セグメント１０６Ａとの間に画定されている。使用時に、ユーザ端末クランプ１０２がクランプされるべき構造体（例えば、軒下、欄干等）の部分がクランプ領域１１０内に位置し、次いで構造体にはクランプが締め付けられる。
【００１９】
図２Ａおよび図２Ｂは、斜視図によって、ユーザ端末クランプ１０２の更なる詳細を図示している。それらの図に図示されているように、ユーザ端末クランプのフレーム１０４は、Ｕ字型であり、部分１０７は、離間した支持部材１０５と支持部材１０６との間の分離を橋渡しする。いくつかの実施形態では、部分１０７は、支持部材１０５および支持部材１０６に（例えば、溶接、はんだ付け、接着、ボルト止め等で）取り付けられている。例示的な実施形態では、フレーム１０４は、単一の一体構造として形成される。本開示および添付の特許請求の範囲における使用において、部分１０７はフレームの「橋架部」と称され、その名称は、フレームが個々の部材から組み立てられる実施形態、およびフレームが単一の一体構造として形成される実施形態に適用される。
【００２０】
水平支持セグメント１０５Ａおよび水平支持セグメント１０６Ａの各々は、チャネルまたはスロット２１１Ａを含む。スロットは、ユーザ端末１００の底部に配置されたリブ、ボスまたは他の種類の突起（以下では、単に「リブ」という）を受け入れ、それによってユーザ端末クランプ１０２とユーザ端末１００とが互いに連結することを可能にする。
【００２１】
各スロット２１１Ａは、ユーザ端末のリブをスロット内に挿入するのを容易にする、広がった入口領域２１３Ａを含む。スロット２１１Ａは、スロット内のユーザ端末のリブを静止させるロック機構を含む。例示的な実施形態では、ロック機構は、スロットの外側のエッジの長さに沿って延びるリップ２１２Ａである。ユーザ端末をユーザ端末クランプ１０２に連結するために、ユーザ端末の基部に配置された（２つの）リブは、２つのスロット２１１Ａ内に滑り込まされる。各スロットにおいて、リブの連結機構（例えば、リブの外側のエッジから延びる突起、リブの外側のエッジの上方のエッジ等）は、リップ２１２Ａの下面の下に配置されるように、リブが挿入される。このようにして、リブ、ひいてはユーザ端末を静止させる。ユーザ端末をユーザ端末クランプから外すために、リブ／ユーザ端末はスロット２１１Ａから滑り出される。各スロット２１１Ｂは、スロット２１１Ａと同様の方法で、ユーザ端末を垂直クランプ用途に向けてのユーザ端末クランプに連結するように機能する。いくつかの他の実施形態では、ロック機構は、スロットの各側に1つずつ、２つのリップ、もしくはスロットの内側のエッジのリップを含むことができるか、またはリップは各スロットの右側のエッジまたは各スロットの左側のエッジにあることができる。
【００２２】
ユーザ端末クランプ１０２の別の顕著な特徴は、クランプ部材１０８Ａおよびクランプ部材１０８Ｂである。クランプ部材は、垂直支持セグメント１０５Ｂおよび垂直支持セグメント１０６Ｂにクランプ部材の基部の近くで枢軸点２３８で回転可能に連結されている（図２Ａでは見えず、図２Ｂを参照。垂直支持セグメント１０５Ｂでの枢軸点の取り付けははっきり見えない。）。
【００２３】
各クランプ部材は、アーム２１６と、クランプヘッド２１８とを含む。例示的な実施形態では、クランプヘッド２１８はアーム２１６に固く固定されている。いくつかの他の実施形態では、クランプヘッド２１８はアーム２１６に回転可能に連結されている。
【００２４】
弾性パッド２２０は、各クランプヘッド２１８の上面に配置されている。弾性パッド２１４（図２Ｂ参照）は、クランプヘッド２１８に対向するフレーム１０４の表面でフレーム１０４に配置されている。例示的な実施形態では、弾性パッドは中密度発泡体を備える。
【００２５】
クランプ部材１０８Ａおよびクランプ部材１０８Ｂは、ハンドル２２２によってクランプするように作動される。ハンドルは、２つのプレート２２４（各支持部材１０５および１０６の内面の一部に１つずつ）と、グリップ２２６とを備える。ハンドル２２２は、ピン２２８でフレーム１０４に回転可能に連結されている。
【００２６】
ハンドル２２２がクランプ部材１０８Ａ／１０８Ｂを作動する作動機構２２９は、図２Ｂに図示されている。例示的な実施形態では、作動機構２２９の２つのインスタンス（instances）があり、垂直支持セグメント１０５Ｂおよび垂直支持セグメント１０６Ｂの各々に１つずつある（ただし、セグメント１０６Ｂの機構のみ図示されている）。
しかしながら、いくつかの別の実施形態では、ユーザ端末クランプは、例えば垂直支持セグメントの一方に位置している作動機構１つのみを含む。
【００２７】
作動機構２２９は、ケーブル２３０と、ケーブルランプ２３２と、プーリ２３６と、ケーブルテンショナ２４４と、を含む。図２Ｂに図示されているように、ケーブル２３０の一端は、取り付け点２３４でケーブルランプ２３２に取り付けられている。ケーブルは、垂直支持セグメント１０６Ｂを通って下方に延び、垂直支持セグメント１０６Ｂの底部近傍のプーリ２３６に係合し、開口２４６を介してアーム２１６の基部に入る。
【００２８】
ケーブルテンショナ２４４は、内部チャンバ２４０に配置されている。例示的な実施形態では、ケーブルテンショナ２４４は、ばねである。ばねの一端は、チャンバ２４０の遠位端２４２に固定されている。ケーブル２３０の第２の端部は、開口２４６に最も近いばねの端部に取り付けられている。例示的な実施形態では、ケーブルテンショナ２４４は、ケーブルテンショナ２４４がケーブル２３０に張力をかけているときに引っ張られた状態に置かれるように、構成されている。制限なしに、このような実施形態では、ケーブルテンショナ２４４は、例えば従来の渦巻き状または螺旋状のばね、弾力性および弾性のある部材、空気ばね等の１つ以上のばねとして実現され得る。いくつかの他の実施形態では、ケーブルテンショナは、ケーブルテンショナが圧縮状態に置かれてケーブルに張力をもたらすように、構成されている。このような実施形態では、ケーブル２３０は、典型的には、ケーブルテンショナ２４４の遠位端（すなわち、開口２４６から最も離れた端部）でケーブルテンショナ２４４に連結される。制限なしに、このような実施形態では、ケーブルテンショナ２４４は、圧縮ばね、ベルビルワッシャ（Belleville washer）弾性ワッシャまたは他の弾性部材として実現され得る。いくつかのさらなる実施形態では、ケーブルテンショナ２４４はモータである。
【００２９】
作動機構２２９の動作は、図３Ａから図３Ｄおよび図４Ａから図４Ｄを参照して最もよく理解される。
【００３０】
図３Ａから図３Ｄは、ユーザ端末クランプ１０２を作動するためのハンドル２２２の移動（部分的な回転）を図示している。図３Ａは、完全に開かれた非伸長状態にあるユーザ端末クランプ１０２を図示している。図３Ｂは、クランプ部材１０８Ａおよびクランプ部材１０８Ｂのクランプヘッド２１８を上方に移動させるために上方に部分的に回転されているハンドル２２２を図示している。ハンドル２２２の回転は、図３Ｃに継続されている。この点で、クランプヘッドはクランプされている構造体（図示せず）に係合しており、引っ張り装置（tensioning device）２４４はケーブルに張力を加えていると考えられている。図３Ｄでは、ハンドル２２２は完全に回転されている。クランプヘッド２１８が構造体に係合した点を越えたハンドル２２２の移動（図３Ｃ）は、クランプ力を提供するケーブル２３０に張力を作り出す。
【００３１】
図４Ａから図４Ｄは、作動機構２２９の様々な状態を図示しており、それらは図３Ａから図３Ｄにそれぞれ図示されているクランプ手順に対応している。図４Ａから図４Ｄの各々は、ケーブル２３０と、ケーブルランプ２３２と、プーリ２３６と、ケーブルテンショナ２４４と、内部チャンバ２４０とを図示している。
【００３２】
図４Ａは、図３Ａに示されるハンドル２２２の位置に対応する作動機構２２９の状態を図示している。これは、ユーザ端末クランプ１０２が完全な開放状態にあることを表している。図４Ａに図示されているように、ケーブルランプ２３２は「上」を指している。この方向では、取り付け点２３４のケーブルの一端からケーブルの他端までの経路は考えられる最短の経路であるため、ケーブル２３０には最小限の張力が存在している。
【００３３】
図４Ｂでは、ケーブルランプ２３２は、ハンドル２２２の上方への回転と協働して「下方へ」回転し始める。ハンドル２２２およびケーブルランプ２３２は、ピン２２８によって連結されていることに留意されたい。
【００３４】
図４Ｃでは、ハンドル２２２がさらに上方に回転されるとき、ケーブルランプ２３２の回転が継続する。特筆すべきは、ケーブルランプ２３２がハンドル２２２の上方への回転と協働してピン２２８周りで「下方に」回転するとき、ケーブル２３０がますますケーブルランプの湾曲したローブ４５０を横切ることである。最初に、これはクランプヘッド２１８を上昇させる（例えば、図３Ｂ、図３Ｃ）。しかしながら、一旦クランプされるべき構造体との接触が作られると、ハンドル２２２およびケーブルランプ２３２のさらなる回転によりケーブルが引っ張られ、クランプされている構造体のクランプ力が増大する。
【００３５】
図４Ｄは、完全な伸長状態にあって、ケーブル２３０がケーブルランプ２３２の湾曲したローブ４５０が最大限に係合した状態にある作動機構を図示している。この状態では、ケーブル２３０は、最大限の張力下にある。クランプされた構造体に連結した後（図３Ｃ／図４Ｃ）、クランプヘッド２１８は実質的に「上方へ」移動するのを停止するので、システムの追加の張力は、クランプ構造体にクランプ力として加えられる。
【００３６】
図５Ａは、水平方向（図１Ａ参照）に連結するのに備えたユーザ端末クランプ１０２およびユーザ端末１００を図示している。ユーザ端末１００の底部のリブ５１１は、ユーザ端末クランプ１０２内のスロット２１１Ａに連結する。例示的な実施形態では、各リブ５１１は、Ｖ字型に折り畳まれた材料（例えば、金属等）の部分を備え、リブ５１１の２つの主エッジの一方（「内側の」エッジ）のみが、ユーザ端末の底部の一部に取り付けられるか、ユーザ端末の底部の一部として形成されている。他方の主エッジ５５２は、ユーザ端末の底部に取り付けられず、エッジがスロット２１１Ａ内に滑り込まされるときにリップ２１２Ａの下に位置している。
【００３７】
図５Ｂは、垂直方向（図１Ｂ参照）に連結するのに備えたユーザ端末クランプ１０２およびユーザ端末１００を図示している。図５Ａと共に上述した同様の方法で、ユーザ端末１００の底部のリブ５１１は、ユーザ端末クランプ１０２内のスロット２１１Ｂに連結する。
【００３８】
本開示は、いくつかの実施形態を記載し、本開示を読んだ後に当業者によって容易に考案され得、本発明の範囲が特許請求の範囲によって決定されることが理解されるべきである。
【符号の説明】
【００３９】
１００  ユーザ端末
１０２  ユーザ端末クランプ
１０４  フレーム
１０５  支持部材
１０５Ａ  水平支持セグメント
１０５Ｂ  垂直支持セグメント
１０６  支持部材
１０６Ａ  水平支持セグメント
１０６Ｂ  垂直支持セグメント
１０７  部分
１０８Ａ  クランプ部材
１０８Ｂ  クランプ部材
１１０  クランプ領域
２１１Ａ  スロット
２１１Ｂ  スロット
２１２Ａ  リップ
２１３Ａ  入口領域
２１４  弾性パッド
２１６  アーム
２１８  クランプヘッド
２２０  弾性パッド
２２２  ハンドル
２２４  プレート
２２６  グリップ
２２８  ピン
２２９  作動機構
２３０  ケーブル
２３２  ケーブルランプ
２３４  取り付け点
２３６  プーリ
２３８  枢軸点
２４０  内部チャンバ
２４０  チャンバ
２４２  遠位端
２４４  ケーブルテンショナ（引っ張り装置）
２４６  開口
４５０  ローブ
５１１  リブ
５５２  主エッジ
５６０  アンテナ
５６２  支持電子機器
５６４  レードーム
【図１Ａ】
2019513328.tif 000003
【図１Ｂ】
2019513328.tif 000004
【図２Ａ】
2019513328.tif 000005
【図２Ｂ】
2019513328.tif 000006
【図３Ａ】
2019513328.tif 000007
【図３Ｂ】
2019513328.tif 000008
【図３Ｃ】
2019513328.tif 000009
【図３Ｄ】
2019513328.tif 000010
【図４Ａ】
2019513328.tif 000011
【図４Ｂ】
2019513328.tif 000012
【図４Ｃ】
2019513328.tif 000013
【図４Ｄ】
2019513328.tif 000014
【図５Ａ】
2019513328.tif 000015
【図５Ｂ】
2019513328.tif 000016
【国際調査報告】
2019513328.tif 000017
2019513328.tif 000018